(57)【要約】【課題】非充電時の充電ケーブルを、充電ケーブルに捻れ等の負荷をかけることなく保持することができ、かつ、充電ケーブルを車両に接続する作業を行う際、充電ケーブルを充電装置から直接引き出して使用する場合と同等の可動領域を確保することができる充電ケーブル保持構造を提供すること。【解決手段】非充電時の充電ケーブル３を支持部材となるアーム２に吊り下げて保持させる充電ケーブル保持構造であって、前記充電ケーブル３に、該充電ケーブルを前記アームに吊り下げ可能とする吊り下げ部材８を取り付け、前記アーム２に吊り下げられた吊り下げ部材８を脱離自在とする脱離手段を備える。【選択図】図１
2015216775.tif 000002
【特許請求の範囲】
【請求項１】
充電ケーブルを支持部材に吊り下げて保持させる充電ケーブル保持構造であって、
前記充電ケーブルに、該充電ケーブルを前記支持部材に吊り下げ可能とする吊り下げ部材を取り付け、
前記支持部材に吊り下げられた吊り下げ部材は、該充電ケーブルの引き出しに応じて前記支持部材より脱離自在とする脱離手段を備えることを特徴とする充電ケーブル保持構造。
【請求項２】
前記吊り下げ部材を、前記支持部材に対し、摺動自在に備えることを特徴とする請求項１記載の充電ケーブル保持構造。
【請求項３】
前記脱離手段として、前記吊り下げ部材に、前記吊り下げ部材を前記支持部材に着脱自在に係止させる係止部を備えることを特徴とする請求項１または２記載の充電ケーブル保持構造。
【請求項４】
前記支持部材を片持ちで固定し、該支持部材の開放端から吊り下げ部材を引き抜き可能としたことを特徴とする請求項２または３記載の充電ケーブル保持構造。
【請求項５】
前記開放端に、吊り下げ部材の落下を防止するストッパーを形成した
ことを特徴とする請求項４記載の充電ケーブル保持構造。
【請求項６】
充電ケーブルを支持部材に吊り下げて保持させる充電ケーブル保持構造であって、
前記充電ケーブルに、該充電ケーブルを前記支持部材に吊り下げ可能とする吊り下げ部材を取り付け、
前記吊り下げ部材に吊り下げた充電ケーブルは、該充電ケーブルの引き出しに応じて前記吊り下げ部材より脱離自在とする脱離手段を備えることを特徴とする充電ケーブル保持構造。
【発明の詳細な説明】
【技術分野】
【０００１】
本発明は、充電ケーブル保持構造に関するものである。
【背景技術】
【０００２】
電気自動車やプラグインハイブリッドカーの充電は、充電装置とこれらの車両を充電ケーブルで接続して行われる。
【０００３】
非充電時の充電ケーブルを、充電装置に保持させておく構造として、充電装置の筐体内に充電ケーブル支持具を配置し、この充電ケーブル支持具の外周側に充電ケーブルを巻き付ける構造（特許文献１）が開示されている。しかし、このように充電ケーブルを巻き付ける方法では、繰り返しの巻き付け作業に伴って充電ケーブルに捻れ等の負荷がかかり、充電ケーブルに損傷等が発生するリスクが高いという問題があった。
【０００４】
他の充電ケーブル保持構造として、充電ケーブルの中間部を固定するケーブル固定部を備えたアームを充電装置の筐体に設け、このアームに充電ケーブルを吊らせて保持する構造（特許文献２）が開示されている。しかし、特許文献２の技術では、ケーブル固定部をアームに備える構造としているため、充電ケーブルを車両に接続する作業を行う際、充電ケーブルを充電装置から直接引き出して使用する場合と比べて、充電ケーブルの可動領域が制限されるという問題があった。
【先行技術文献】
【特許文献】
【０００５】
【特許文献１】特開２０１２−９０４０８号公報
【特許文献２】特開２０１０−２８３９４６号公報
【発明の概要】
【発明が解決しようとする課題】
【０００６】
本発明の目的は前記の問題を解決し、充電ケーブルを、充電ケーブルに捻れ等の負荷をかけることなく保持することができ、かつ、充電ケーブルを車両に接続する作業を行う際、充電ケーブルを充電装置から直接引き出して使用する場合と同等の可動領域を確保することができる充電ケーブル保持構造を提供することである。
【課題を解決するための手段】
【０００７】
請求項１記載の発明は、充電ケーブルを支持部材に吊り下げて保持させる充電ケーブル保持構造であって、前記充電ケーブルに、該充電ケーブルを前記支持部材に吊り下げ可能とする吊り下げ部材を取り付け、前記支持部材に吊り下げられた吊り下げ部材は、該充電ケーブルの引き出しに応じて前記支持部材より脱離自在とする脱離手段を備えることを特徴とするものである。
【０００８】
請求項２記載の発明は、請求項１記載の充電ケーブル保持構造において、前記吊り下げ部材を、前記支持部材に対し、摺動自在に備えることを特徴とするものである。
【０００９】
請求項３記載の発明は、請求項１または２記載の充電ケーブル保持構造において、前記脱離手段として、前記吊り下げ部材に、前記吊り下げ部材を前記支持部材に着脱自在に係止させる係止部を備えることを特徴とするものである。
【００１０】
請求項４記載の発明は、請求項２または３記載の充電ケーブル保持構造において、前記支持部材を片持ちで固定し、該支持部材の開放端から吊り下げ部材を引き抜き可能としたことを特徴とするものである。
【００１１】
請求項５記載の発明は、請求項４記載の充電ケーブル保持構造において、前記開放端に、吊り下げ部材の落下を防止するストッパーを形成したことを特徴とするものである。
【００１２】
請求項６記載の発明は、充電ケーブルを支持部材に吊り下げて保持させる充電ケーブル保持構造であって、前記充電ケーブルに、該充電ケーブルを前記支持部材に吊り下げ可能とする吊り下げ部材を取り付け、前記吊り下げ部材に吊り下げた充電ケーブルは、該充電ケーブルの引き出しに応じて前記吊り下げ部材より脱離自在とする脱離手段を備えることを特徴とするものである。
【発明の効果】
【００１３】
請求項１記載の発明では、充電ケーブルを支持部材に吊り下げて保持させる充電ケーブル保持構造を採用しているため、充電ケーブルの巻き付け作業が不要になり、充電ケーブルに捻れ等の負荷をかけることなく保持することができる。また、請求項１記載の発明では、充電ケーブルに、該充電ケーブルを前記支持部材に吊り下げ可能とする吊り下げ部材を取り付け、前記支持部材に吊り下げられた充電ケーブルは、該充電ケーブルの引き出しに応じて前記支持部材より脱離自在とする脱離手段を備える構造を採用しているため、容易に、充電ケーブルを充電装置から直接引き出した場合と同様の状態を作りだすことができ、充電ケーブルを車両に接続する作業を行う際、充電ケーブルを充電装置から直接引き出して使用する場合と同等の可動領域を確保することができる。
【００１４】
請求項２記載の発明のように、前記吊り下げ部材を、前記支持部材に対し、摺動自在に備える構成とすることにより、充電ケーブルの長さを確保できるなど作業性の向上を図ることができる。
【００１５】
請求項３記載の発明のように、吊り下げ部材に、前記吊り下げ部材を前記支持部材に着脱自在に係止させる係止部を備える構成を採用することにより、充電ケーブルの使用時に充電ケーブルの長さを確保する作業や、充電ケーブル使用後に支持部材に保持させる作業を、充電ケーブルの引き出しによって係止部が支持部材から脱離または保持部から充電ケーブルを脱離させることが可能で、何れも簡単に行うことができる。
【００１６】
請求項４記載の発明のように、前記支持部材を片持ちで固定し、該支持部材の開放端から吊り下げ部材を引き抜き可能とした構成とすることにより、支持部材に吊り下げられた充電ケーブルを支持部材から脱離させる作業を、より容易に行うことができる。
【００１７】
請求項５記載の発明のように、前記開放端に、吊り下げ部材の落下を防止するストッパーを形成した構成とすることにより、充電ケーブルを支持部材から脱離させる必要がない場合に誤って脱離することを確実に回避することができる。
【００１８】
請求項６記載の発明のように、充電ケーブルに、該充電ケーブルを前記支持部材に吊り下げ可能とする吊り下げ部材を取り付け、前記吊り下げ部材に吊り下げた充電ケーブルは、該充電ケーブルの引き出しに応じて前記吊り下げ部材より脱離自在とする脱離手段を備えることを特徴とする充電ケーブル保持構造。容易に、充電ケーブルを充電装置から直接引き出した場合と同様の状態を作りだすことができ、充電ケーブルを車両に接続する作業を行う際、充電ケーブルを充電装置から直接引き出して使用する場合と同等の可動領域を確保することができる。
【図面の簡単な説明】
【００１９】
【図１】本発明の充電ケーブル保持構造を有した充電装置の全体斜視図である。
【図２】吊り下げ部材の全体斜視図である。
【図３】本実施形態における充電ケーブル保持構造の説明図である。
【図４】他の実施形態に用いる吊り下げ部材の全体斜視図である。
【図５】他の実施形態に用いる吊り下げ部材の全体斜視図である。
【発明を実施するための形態】
【００２０】
以下に本発明の好ましい実施形態を示す。
【００２１】
本発明の充電ケーブル保持構造は、図１に示すように、充電装置１の下方に配置されたアーム２に、非充電時の充電ケーブル３や使用時の充電ケーブル３の余長部分を吊り下げて保持させるための構造に関するものである。
【００２２】
本実施形態の充電装置１は、筺体４の側部に、充電ケーブル３の先端に設けた充電コネクタ５を非充電時に収容する充電コネクタ収納部６を備えている。筐体４はスタンド７に固定して立設されている。充電ケーブル３は、充電装置１と一体に形成されたものでもよいし、充電装置１に形成されたコンセント口に差し込んで使用するものでもよい。
【００２３】
本実施形態では、支持部材となるアーム２を、充電装置１の筐体４を支持するスタンド７に片持ちで固定させているが、他の実施形態として、アーム２を独立した自立部材で構成したり、他の壁面（例えば、隣接する家屋等の壁面）に固定した構造とすることもできる。
【００２４】
充電ケーブル３には、充電ケーブル３をアーム２に吊り下げ可能とする吊り下げ部材８が取り付けられている。吊り下げ部材８の数は、特に限定されないが、非充電時の充電ケーブル３や使用時の充電ケーブル３の余長部分が地面と擦れることを回避できるように、充電ケーブル３の長さに応じて、適切な数を使用することが好ましい。
【００２５】
吊り下げ部材８は、図２に示すように、吊り下げ部材８を充電ケーブル３に着脱自在に保持させる保持部９と、吊り下げ部材８をアーム２に着脱自在に係止させるフック状の係止部１０を備えている。
【００２６】
係止部１０は、その内径Ｒが、アーム２の直径よりも、若干大きくなるように形成されている。このように、係止部１０の内径Ｒを、アーム２の直径よりも、若干大きくなるように形成することにより、アームに対し、吊り下げ部材８を、摺動自在とすることができる。大きすぎる内径では、アーム２との係止が簡単に外れてしまうため、好ましくない。吊り下げ部材８を、摺動自在とすることにより、アーム２上に、複数の吊り下げ部材８を係止させた場合に、吊り下げ部材８間の距離を適宜調整したり、充電ケーブル３の余長に応じて、係止位置を微調整することができる。
【００２７】
本実施形態では、アーム２からの脱離手段として吊り下げ部材８の係止部１０を脱離させるものであり、図３に示すように、アーム２を片持ちで固定し、充電ケーブル３の使用時に充電ケーブル３の長さを確保したい場合には、アーム２の開放端から、吊り下げ部材８を脱落させ、アーム２に吊り下げられた充電ケーブル３とアーム２を脱離させる構造としている。具体的には、充電ケーブル３の充電コネクタ５方向への引き出しに応じて、吊り下げ部材８の係止部１０がアーム２上を摺動し、アーム２の開放端から係止部１０が脱離されるものである。図３に示す実施形態では、３つの吊り下げ部材８のうち、充電コネクタ５に最も近い位置に取り付けられた吊り下げ部材８のみが引き抜かれているが、充電ケーブル３の使用時に充電ケーブル３の長さを、より長く確保したい場合には、他の吊り下げ部材８も引き抜いて、長さ調節をすることができる。
【００２８】
充電を終了し、充電ケーブル３をアーム２に保持させる際には、アーム２から離脱させた吊り下げ部材８の係止部１０をアーム２に引っかけるという簡単な作業を行えばよく、充電ケーブル３の巻き付け作業は不要であり、充電ケーブル３に捻れ等の負荷をかけることなく保持することができる。
【００２９】
本実施形態では、アーム２を片持ちで固定し、その開放端に、吊り下げ部材８の落下を防止する突起状のストッパー１３を形成している。充電ケーブル３の使用時には、充電ケーブル３が充電コネクタ５方向に引っ張られるが、このようにストッパー１３を形成することにより、吊り下げ部材８がストッパー１３と接した状態で、充電コネクタ５方向への移動が一旦停止される。充電ケーブル３の更なる引出が必要な場合には、作業者が、吊り下げ部材８を前記位置から意図的に移動させて、引出作業を行う。このような構造とすることにより、充電ケーブル３をアーム２から脱離させる必要がない場合に誤って脱離することを確実に回避することができる。
【００３０】
アーム２からの脱離手段として吊り下げ部材８の係止部１０を脱離させる他の実施形態として、図４に示すように、吊り下げ部材８の係止部１０を、回動軸１１を有する２部材構成とし、一方の部材を、例えば反転バネを組み込む等の手段により、回動軸部１１を中心に回動自在に形成し、吊り下げ部材８をや充電コネクタ５方向への引き出しに応じて、２部材の係止部１０が開放し、係止部１０がアーム２から脱離する構造とすることもできる。吊り下げ部材８をこのような構造とする場合、アーム２を、開放端を有さず、安定な両持ち構造とすることができる。
【００３１】
更に、他の実施形態として、アーム２からの脱離手段として吊り下げ部材８の保持部９を使用することも可能である。図５に示すように、吊り下げ部材８の保持部９を、回動軸１２を有する２部材構成とし、一方の部材を、例えば反転バネを組み込む等の手段により、回動軸部１１を中心に回動自在に形成し、吊り下げ部材８を充電コネクタ５方向への引き出しに応じて、2部材の保持部９が開放し、充電ケーブル３が保持部９より脱離させる構造とすることもできる。吊り下げ部材８をこのような構造とする場合も、上記同様に、アーム２を、開放端を有さず、安定な両持ち構造とすることができる。
【符号の説明】
【００３２】
１  充電装置
２  アーム（支持部材）
３  充電ケーブル
４  筺体
５  充電コネクタ
６  充電コネクタ収納部
７  スタンド
８  吊り下げ部材
９  保持部
１０  係止部
１１  回動軸
１２  回動軸
１３  ストッパー
【図１】
2015216775.tif 000003
【図２】
2015216775.tif 000004
【図３】
2015216775.tif 000005
【図４】
2015216775.tif 000006
【図５】
2015216775.tif 000007